(57)【要約】【課題】  表示手段に表示された古い表示情報の表示状態が維持されることを防止する。【解決手段】  消去専用ボタン１６がオンされると、消去信号が制御部２８に入力され、これにより制御部２８は、消去信号を消去用回路２６に、表示書き換え回路２４への信号線とは別の線を介して、出力する。制御部２８から消去信号を入力された場合、消去用回路２６は、主電源１４にある電力から消去用パルスを電極基板１２Ａ、１２Ｂに印加することにより、表示層部１２Ｃに表示された情報を消去する。【選択図】        図１
2004258608.tif 000002
【特許請求の範囲】
【請求項１】
情報を表示すると共に、所定のエネルギーが印加されることにより、該情報が消去されるように構成された表示手段と、
前記表示手段に表示された情報を消去する消去信号が入力可能に構成され、該消去信号が入力された場合、前記表示手段に前記所定のエネルギーを印加することにより、前記情報を消去する消去手段と、
を備えた表示媒体。
【請求項２】
前記表示手段の表示状態を変更する変更手段を更に備えた請求項１に記載の表示媒体。
【請求項３】
前記消去信号のみを前記消去手段に出力する出力手段を更に備えた請求項１又は請求項２記載の表示媒体。
【請求項４】
前記消去信号の出力を指示する指示手段を更に備え、
前記出力手段は、前記指示手段により前記指示された場合に、前記消去信号を前記消去手段に出力することを特徴とする請求項３記載の表示媒体。
【請求項５】
前記消去信号を出力するタイミングであるか否かを判断する判断手段を更に備え、
前記出力手段は、前記判断手段により前記消去信号を出力するタイミングであると判断された場合に、前記消去信号を前記消去手段に出力することを特徴とする請求項３又は請求項４記載の表示媒体。
【請求項６】
前記表示媒体が所定領域内か否かを検知する検知手段を更に備え、
前記出力手段は、前記検知手段による検知状態に基づいて、前記消去信号を前記消去手段に出力することを特徴とする請求項３乃至請求項５の何れか１項に記載の表示媒体。
【請求項７】
前記出力手段は、前記検知手段により前記表示媒体が所定領域外に位置することが検知された場合に、前記消去信号を前記消去手段に出力することを特徴とする請求項６記載の表示媒体。
【請求項８】
前記所定領域の境界を前記表示媒体が通過したことを示す通過信号を発信する第１の発信手段から該通過信号を受信することにより、又は、前記表示媒体が前記所定領域内に位置することを示す領域内信号を発信する第２の発信手段からの該領域内信号の受信状態が変化したことを検知することにより、前記検知手段は、前記表示媒体が所定領域外に位置することを検知することを特徴とする請求項７記載の表示媒体。
【請求項９】
前記出力手段は、前記検知手段により前記表示媒体が所定領域内に位置することが検知された場合に、前記消去信号を前記消去手段に出力することを特徴とする請求項６記載の表示媒体。
【請求項１０】
前記所定領域の境界を前記表示媒体が通過したことを示す通過信号を発信する第１の発信手段から該通過信号を受信することにより、又は、前記表示媒体が前記所定領域内に位置することを示す領域内信号を発信する第２の発信手段から該領域内信号を受信することにより、前記検知手段は、前記表示媒体が所定領域内に位置することを検知することを特徴とする請求項９記載の表示媒体。
【請求項１１】
前記出力手段は、
前記消去信号を前記消去手段に出力するためのエネルギーを保持する保持手段と、
前記保持手段により保持されたエネルギーに基づいて、前記消去信号のみを前記消去手段に出力する消去信号出力手段と、
を備えて構成された請求項３乃至請求項１０の何れか１項に記載の表示媒体。
【請求項１２】
前記保持手段は、前記表示手段により情報が表示される領域の内の少なくとも一部分の領域の情報が、少なくとも１回消去可能なエネルギーを保持することを特徴とする請求項１１記載の表示媒体。
【請求項１３】
前記保持手段は、少なくとも一部分の領域の情報が、複数回消去可能なエネルギーを保持し、
前記消去信号出力手段は、前記保持手段に保持されたエネルギーに基づいて、１回の消去時に、前記消去信号を前記消去手段に複数回出力することを特徴とする請求項１２記載の表示媒体。
【請求項１４】
前記保持手段は、少なくとも一部分の領域の情報が、複数回消去可能なエネルギーを保持し、
前記消去信号出力手段は、前記保持手段に保持されたエネルギーに基づいて、１回の消去時に、前記消去信号を前記消去手段に少なくとも１回出力することを、複数回行うことが可能であることを特徴とする請求項１２記載の表示媒体。
【請求項１５】
前記保持手段は、エネルギーを補充可能に構成されていることを特徴とする請求項１１乃至請求項１４の何れか１項に記載の表示媒体。
【請求項１６】
前記消去手段による情報の消去状態を検出する検出手段を更に備え、
前記出力手段は、前記検出手段により検出さえた消去状態に基づいて、前記消去信号の出力状態を変更する、
ことを特徴とする請求項３乃至請求項１５の何れか１項に記載の表示媒体。
【請求項１７】
前記出力手段は、前記表示媒体に着脱自在であることを特徴とする請求項３乃至請求項１６記載の表示媒体。
【請求項１８】
前記消去手段は、外部装置から前記消去信号を入力可能に構成されたことを特徴とする請求項１又は請求項２記載の表示媒体。
【請求項１９】
前記外部装置は、前記表示手段の表示状態を変更する変更手段を備えたことを特徴とする請求項１８に記載の表示媒体。
【請求項２０】
前記外部装置は、前記消去信号を前記消去手段に出力する出力手段を更に備えた請求項１８又は請求項１９記載の表示媒体。
【請求項２１】
請求項１記載の表示媒体の前記消去手段に、前記消去信号のみを出力する出力手段を備えた表示媒体管理装置。
【請求項２２】
前記表示手段の表示状態を変更する変更手段を備えたことを特徴とする請求項２１に記載の表示媒体管理装置。
【発明の詳細な説明】
【技術分野】
【０００１】
本発明は、表示媒体及び表示媒体管理装置に係り、より詳細には、情報を表示すると共に、所定のエネルギーが印加されることにより、該情報が消去されるように構成された表示手段を備えた表示媒体及び該表示媒体を管理する表示媒体管理装置に関する。
【背景技術】
【０００２】
近年、情報表示媒体として、紙媒体や電子ディスプレイデバイスのほかに、電子ディスプレイの長所と紙の長所を併せもった電子ペーパー、またはデジタルペーパーと呼ばれる情報表示媒体が注目されている。これらの多くはメモリ性のある表示素子を用い、フレキシブルで、薄型、軽量な形態を有する。表示にメモリ性を有することから、情報の書き換え時のみ駆動装置もしくは外部の情報書き込み装置により、書き込みのエネルギーを与えるだけで良く、表示を維持するエネルギー印加は不要である。従って、情報の書き込み後に書込み装置から表示媒体のみ切り離し、紙媒体のように手軽に持ち運んだり、重ねたり、並べたり、手に持って情報を読むことができる。
【発明の開示】
【発明が解決しようとする課題】
【０００３】
しかし、上記従来のメモリ性表示素子を用いた書き換え可能な情報表示媒体は、表示内容の維持操作が必要ない反面、最終的に書き込まれた情報を表示し続けるだけであるため、本来書き換えるべき表示内容を更新し忘れると、古い情報が表示され続け、情報が最新のものかどうか判断しにくくなる。また、このように本来書き換えるべき表示内容を更新されないと、閲覧場所を限った情報や持ち出し禁止の極秘情報が漏洩してしまったり、外部に持ち出された場合、各種チケットなどのように他人に再利用されたり、するおそれもある。そして、このような状況であるため、書き込み装置から切り離された表示媒体は、その利用態様としては、締め切りのあるイベント情報など、期限を有する情報の表示や、期間を限定した情報提供などの利用態様に限定され、機能的な使い方ができない。
【０００４】
本発明は、上記事実に鑑み成されたもので、表示手段に表示された古い表示情報の表示状態が維持されることを防止することの可能な表示媒体及び表示媒体管理装置を提供することを目的とする。
【課題を解決するための手段】
【０００５】
上記目的達成のため請求項１記載の発明は、情報を表示すると共に、所定のエネルギーが印加されることにより、該情報が消去されるように構成された表示手段と、前記表示手段に表示された情報を消去する消去信号が入力可能に構成され、該信号が入力された場合、前記表示手段に前記所定のエネルギーを印加することにより、前記情報を消去する消去手段と、を備えている。
【０００６】
上記表示手段は、情報を表示すると共に、所定のエネルギーが印加されることにより、該情報が消去されるように構成されている。
【０００７】
ところで、表示手段に表示された情報が維持された場合には、情報が古くなり、古い情報が表示し続け、情報が最新のものかどうか判断しにくくなる場合がある。
【０００８】
そこで、本発明の消去手段は、表示手段に表示された情報を消去する消去信号が入力可能に構成され、該信号が入力された場合、表示手段に所定のエネルギーを印加することにより、上記情報を消去する。
【０００９】
このように本発明は、消去信号が入力されると表示手段に表示された情報を消去するので、情報が古くなり混乱が生ずる前に、消去信号が入力されれば、該情報が消去され、表示手段に表示された古い表示情報の表示状態が維持されることを防止することができる。
【００１０】
本発明では、請求項２のように、表示手段の表示状態を変更する変更手段を更に備えるようにしてもよく、請求項３のように、消去信号のみを消去手段に出力する出力手段を更に備えるようにしてもよい。このように、請求項３において、上記変更手段と、上記出力手段と、を備えた発明では、変更手段とは異なる出力手段により消去信号が入力された消去手段は、表示手段に所定のエネルギーを印加することにより、上記情報を消去する。
【００１１】
請求項３の発明においては、請求項４のように、消去信号の出力を指示する指示手段を更に備え、出力手段は、指示手段により指示された場合に、消去信号を消去手段に出力するようにしてもよい。
【００１２】
また、請求項３又は請求項４の発明においては、請求項５のように、消去信号を出力するタイミングであるか否かを判断する判断手段を更に備え、出力手段は、判断手段により消去信号を出力するタイミングであると判断された場合に、消去信号を消去手段に出力するようにしてもよい。なお、判断手段は、設定された時刻になったか否かを判断したり、設定された時間経過したか否かを判断したり、することにより、消去信号を出力するタイミングであるか否かを判断するようにしてもよい。
【００１３】
更に、請求項３乃至請求項５の何れか１項に記載の発明においては、請求項６のように、前記表示媒体が所定領域内か否かを検知する検知手段を更に備え、前記出力手段は、前記検知手段による検知状態に基づいて、前記消去信号を前記消去手段に出力するようにしてもよい。
この場合、請求項７のように、前記出力手段は、前記検知手段により前記表示媒体が所定領域外に位置することが検知された場合に、前記消去信号を前記消去手段に出力するようにしてもよい。そして、請求項８のように、前記所定領域の境界を前記表示媒体が通過したことを示す通過信号を発信する第１の発信手段から該通過信号を受信することにより、又は、前記表示媒体が前記所定領域内に位置することを示す領域内信号を発信する第２の発信手段からの該領域内信号の受信状態が変化したことを検知することにより、前記検知手段は、前記表示媒体が所定領域外に位置することを検知するようにしてもよい。
【００１４】
また、請求項９のように、前記出力手段は、前記検知手段により前記表示媒体が所定領域内に位置することが検知された場合に、前記消去信号を前記消去手段に出力するようにしてもよい。そして、請求項１０のように、前記所定領域の境界を前記表示媒体が通過したことを示す通過信号を発信する第１の発信手段から該通過信号を受信することにより、又は、前記表示媒体が前記所定領域内に位置することを示す領域内信号を発信する第２の発信手段から該領域内信号を受信することにより、前記検知手段は、前記表示媒体が所定領域内に位置することを検知するようにしてもよい。
【００１５】
このように、前記表示媒体が所定領域内か否かに基づいて、消去信号を消去手段に出力するので、前記表示媒体の位置及び所定領域の位置との関係で、情報を消去することができる。
【００１６】
請求項３乃至請求項１０の何れか１項に記載の発明では、請求項１１のように、出力手段を、消去信号を消去手段に出力するためのエネルギーを保持する保持手段と、保持手段により保持されたエネルギーに基づいて、消去信号のみを消去手段に出力する消去信号出力手段と、を備えて構成するようにしてもよい。
【００１７】
この場合、請求項１２のように、保持手段は、表示手段により情報が表示される領域の内の少なくとも一部分の領域の情報が、少なくとも１回消去可能なエネルギーを保持するようにしてもよい。
【００１８】
この場合、請求項１３のように、保持手段は、少なくとも一部分の領域の情報が、複数回消去可能なエネルギーを保持し、消去信号出力手段は、保持手段に保持されたエネルギーに基づいて、１回の消去時に、消去信号を消去手段に複数回出力したり、請求項１４のように、保持手段は、少なくとも一部分の領域の情報が、複数回消去可能なエネルギーを保持し、消去信号出力手段は、保持手段に保持されたエネルギーに基づいて、１回の消去時に、消去信号を消去手段に少なくとも１回出力することを、複数回行うことが可能であるとしてもよい。
【００１９】
なお、請求項１１乃至請求項１４の何れか１項に記載の発明では、請求項１５のように、保持手段を、エネルギーを補充可能に構成してもよい。
【００２０】
また、請求項３乃至請求項１５の何れか１項に記載の発明では、請求項１７のように、消去手段による情報の消去状態を検出する検出手段を更に備え、出力手段は、前記検出手段により検出さえた消去状態に基づいて、消去信号の出力状態を変更するようにしてもよい。
【００２１】
更に、請求項３乃至請求項１６の何れか１項に記載の発明では、請求項１７のように、出力手段を、表示媒体に着脱自在としてもよい。
【００２２】
ところで、本発明は、請求項３のように出力手段を備えることに限定されず、請求項１８のように、消去手段を、外部装置から消去信号を入力可能に構成してもよい。この場合、外部装置は、請求項１９のように、表示手段の表示状態を変更する変更手段を備えるようにしてもよい。この場合、請求項２０のように、外部装置は、消去信号を消去手段に出力する出力手段を更に備えるようにしてもよい。
【００２３】
以上説明した発明においては、消去手段は、前記所定のエネルギーとして、電界を印加するようにしてもよく、変更手段は、光と電界を用いて、表示状態を変更するようにしてもよい。
【００２４】
請求項２１記載の発明にかかる表示媒体管理装置は、請求項１記載の表示媒体の前記消去手段に、前記消去信号のみを出力する出力手段を備えている。この場合、請求項２２のように、前記表示手段の表示状態を変更する変更手段を備えるようにしてもよい。
【００２５】
なお、表示媒体管理装置は、次のような態様がある。
【００２６】
即ち、前記消去信号の出力を指示する指示手段を更に備え、前記出力手段は、前記指示手段により前記指示された場合に、前記消去信号を前記消去手段に出力するようにしてもよい。また、前記消去信号を出力するタイミングであるか否かを判断する判断手段を更に備え、前記出力手段は、前記判断手段により前記消去信号を出力するタイミングであると判断された場合に、前記消去信号を前記消去手段に出力するようにしてもよい。
【００２７】
更に、前記表示媒体が所定領域内か否かを検知する検知手段を更に備え、前記出力手段は、前記検知手段による検知状態に基づいて、前記消去信号を前記消去手段に出力するようにしてもよい。この場合、前記出力手段は、前記検知手段により前記表示媒体が所定領域外に位置することが検知された場合に、前記消去信号を前記消去手段に出力するようにしてもよい。そして、前記所定領域の境界を前記表示媒体が通過したことを示す通過信号を発信する第１の発信手段から該通過信号を受信することにより、又は、前記表示媒体が前記所定領域内に位置することを示す領域内信号を発信する第２の発信手段からの該領域内信号の受信状態が変化したことを検知することにより、前記検知手段は、前記表示媒体が所定領域外に位置することを検知するようにしてもよい。また、前記出力手段は、前記検知手段により前記表示媒体が所定領域内に位置することが検知された場合に、前記消去信号を前記消去手段に出力するようにしてもよい。そして、前記所定領域の境界を前記表示媒体が通過したことを示す通過信号を発信する第１の発信手段から該通過信号を受信することにより、又は、前記表示媒体が前記所定領域内に位置することを示す領域内信号を発信する第２の発信手段から該領域内信号を受信することにより、前記検知手段は、前記表示媒体が所定領域内に位置することを検知するようにしてもよい。
【００２８】
前記出力手段を、前記消去信号を前記消去手段に出力するためのエネルギーを保持する保持手段と、前記保持手段により保持されたエネルギーに基づいて、前記消去信号のみを前記消去手段に出力する消去信号出力手段と、を備えて構成してもよい。
【００２９】
この場合、前記保持手段は、前記表示手段により情報が表示される領域の内の少なくとも一部分の領域の情報が、少なくとも１回消去可能なエネルギーを保持するようにしてもよい。この場合、前記保持手段は、少なくとも一部分の領域の情報が、複数回消去可能なエネルギーを保持し、前記消去信号出力手段は、前記保持手段に保持されたエネルギーに基づいて、１回の消去時に、前記消去信号を前記消去手段に複数回出力したり、前記保持手段は、少なくとも一部分の領域の情報が、複数回消去可能なエネルギーを保持し、前記消去信号出力手段は、前記保持手段に保持されたエネルギーに基づいて、１回の消去時に、前記消去信号を前記消去手段に少なくとも１回出力することを、複数回行うことが可能であるとしてもよい。なお、前記保持手段は、エネルギーを補充可能に構成してもよい。
【発明の効果】
【００３０】
以上説明したように本発明は、消去信号が入力されると表示手段に表示された情報を消去するので、情報が古くなり混乱が生ずる前に、消去信号が入力されれば、該情報が消去され、表示手段に表示された古い表示情報の表示状態が維持されることを防止することができる、という効果を有する。
【発明を実施するための最良の形態】
【００３１】
(第１の実施の形態)
以下、図面を参照して、本発明の第１の実施の形態を詳細に説明する。
【００３２】
図１及び図２に示すように、本実施の形態にかかる表示媒体としてのメモリ性表示媒体１０Ａは、表示部１２、操作部２０、及び駆動部２２を備えている。
【００３３】
表示部１２は、図２に示すように、情報を表示すると共に、所定のエネルギーが印加されることにより、該情報が消去されるように構成された表示手段としての表示層部１２Ｃと、表示層部１２Ｃを挟むと共に、表示層部１２Ｃに表示された情報を消去する消去信号が入力可能に構成され、該信号が入力された場合、表示層部１２Ｃに所定のエネルギーを印加することにより、情報を消去する消去手段としての一対の電極基板１２Ａ、１２Ｂと、を備えている。
【００３４】
操作部２０は、電池等のエネルギーを保持する保持手段、特に、電力保持手段としての主電源１４、通常の画像書き換え動作を指示するためのページ操作ボタン１８、及びページ操作ボタン１８の設置エリアとは別のエリアに設置された指示手段としての消去専用ボタン１６を備えている。
【００３５】
駆動部２２は、図２に示すように、表示層部１２Ｃの表示状態を変更する変更手段としての表示書き換え回路２４、消去信号のみを電極基板１２Ａ、１２Ｂに出力する出力手段としての消去用回路２６、及び、主電源１４から電源が投入されると共に、表示書き換え回路２４及び消去用回路２６各々と別々の線により接続され、これらを制御する制御部２８と、を備えている。なお、表示書き換え回路２４、消去用回路２６、及び制御部２８はＩＣチップ等により構成されている。
【００３６】
次に、本実施の形態の作用を説明する。
【００３７】
ページ操作ボタン１８が操作されると制御部２８は、操作に従って、表示層部１２Ｃの表示状態が変更されるように、表示書き換え回路２４を制御する。表示書き換え回路２４は、この制御に従って電極基板１２Ａ、１２Ｂに書き換え信号を出力する。これにより、表示層部１２Ｃの表示状態が変更される。
【００３８】
ところで、表示層部１２Ｃに表示された情報が維持された場合には、表示された情報が古くなり、古い情報が表示し続け、情報が最新のものかどうか判断しにくくなる場合がある。
【００３９】
そこで、ユーザーは、情報が古くなり混乱が生ずる前に消去専用ボタン１６をオンする。消去専用ボタン１６がオンされると、消去信号が制御部２８に入力され、これにより制御部２８は、図３に示した制御ルーチンをスタートし、ステップ１０２で、消去信号を消去用回路２６に、表示書き換え回路２４への信号線とは別の線を介して、出力する。
【００４０】
一方、消去用回路２６は、電源が投入されると、図４に示した制御ルーチンをスタートし、ステップ１０４で、制御部２８から消去信号を入力されたか否かを判断しており、上記のように制御部２８から消去信号を入力された場合に、ステップ１０６で、主電源１４にある電力から消去用パルスを電極基板１２Ａ、１２Ｂに印加することにより、表示層部１２Ｃに表示された情報が消去される。
【００４１】
このように本実施の形態は、消去信号が入力されると表示部層に表示された情報を消去するので、情報が古くなり混乱が生ずる前に消去信号が入力されれば、該情報が消去され、表示部層に表示された古い表示情報の表示状態が維持されることを防止することができる。
【００４２】
なお、本実施の形態では、消去専用ボタン１６がオンされる毎に、主電源１４に保持されたエネルギーにより上記のように消去処理をする。即ち、１回の消去処理の際に１回消去信号を出力して、情報を消去することを、複数回可能なエネルギーを主電源１４は保持している。
【００４３】
(第２の実施の形態)
次に、本発明の第２の実施の形態を説明する。本実施の形態は、前述した第１の実施の形態と同様の構成部分を有するので、同一部分には同一の符号を付してその説明を省略し、異なる部分を説明する。
【００４４】
本実施の形態にかかるメモリ性表示媒体１０Ｂは、図５、図６に示すように、表示部１２と、消去用回路２６と、を備えているが、第１の実施の形態における主電源１４と、ページ操作ボタン１８と、駆動部２２における制御部２８及び表示書き換え回路２４と、を備えていない。
【００４５】
一方、本実施の形態にかかるメモリ性表示媒体１０Ｂは、図６に示すように、当該メモリ性表示媒体１０Ｂとは別体に構成された変更手段としての情報書き換え装置３２に着脱可能に構成されている。
【００４６】
本実施の形態における消去回路２６は、消去信号を電極基板１２Ａ、１２Ｂに出力するためのエネルギー（本実施の形態では電荷）を保持する保持手段（特に、電荷保持手段）としてのコンデンサ３６と、コンデンサ３６により保持されたエネルギーに基づいて、消去信号のみを電極基板１２Ａ、１２Ｂに出力する消去信号出力手段としての消去パルス制御部３４と、を備えて構成されている。なお、消去パルス制御部３４は、電極基板１２Ａ、１２Ｂに接続されている。
【００４７】
コンデンサ３６には、エネルギーを補充可能であり、補充するためのコンデンサ充電用端子３８（３８Ａ、３８Ｂ）が設けられている。また、消去パルス制御部３４には、電極基板１２Ａ、１２Ｂによる表示層１２Ｃの情報の消去状態を検出する検出手段としての消え残りセンサ４０が接続されている。なお、消え残りセンサ４０は、反射濃度センサで構成され、表示層１２Ｃにおける消え残り検出領域として予め定められた特定領域（表示層１２Ｃの全表示領域でもいいが、一部の領域）に対向するように配置されている。
【００４８】
図７を参照して本実施の形態にかかるメモリ性表示媒体１０Ｂを詳細に説明する。図７に示すように、表示部１２の表示層部１２Ｃは、マイクロカプセルコレステリック液晶表示層１２Ｃ１、光吸収層１２Ｃ２、及び光導電層１２Ｃ３を備えている。また、電極基板１２Ａ、１２Ｂは、透明電極樹脂基板で構成されている。この点、第１の実施の形態における表示部１２も同様の構成となっている。
【００４９】
消去回路２６内の消去パルス制御部３４は、コンデンサ３６と電極基板１２Ａ、１２Ｂとの接続をオン・オフするスイッチング素子３４Ａと、マイクロコンピュータ（マイコン）３４Ｂと、を備えて構成されている。スイッチング素子３４Ａは、放電用端子４８Ａ及び電極４６Ａを介して電極基板１２Ａに接続され、コンデンサ３６は、放電用端子４８Ｂ及び電極４６Ｂを介して電極基板１２Ｂに接続されている。マイコン３４Ｂには、消え残りセンサ４０が接続されている。
【００５０】
コンデンサ３６は、コンデンサ充電用端子３８Ａ、３８Ｂにより充電器３９に接続されている。
【００５１】
次に、本実施の形態の作用を説明する。
【００５２】
メモリ性表示媒体１０Ｂが情報書き換え装置３２に装着されると、電極基板１２Ａ、１２Ｂと情報書き換え装置３２とが接続される。所定の操作により情報書き換え装置３２は、表示層部１２Ｃの表示状態が変更されるように、電極基板１２Ａ、１２Ｂに書き換え信号を出力すると共に、光導電層１２Ｃ３を画像状に露光する。これにより、表示層部１２Ｃの表示状態が変更される。なお、第１の実施の形態のように、変更された画像は、電源の印加がなくともその状態を維持するメモリ性を有する。
【００５３】
マイコン３４Ｂは図示しないスイッチがオンされると図８に示した制御ルーチンをスタートし、ステップ１１０で、上記のように表示層部１２Ｃの表示状態が変更されてから所定時間経過したか否かを判断し、表示層部１２Ｃの表示状態が変更されてから所定時間経過したと判断された場合に、スイッチング素子３４Ａを所定時間スイッチオンにする。なお、ステップ１１０は、判断手段に対応する。
【００５４】
これにより、コンデンサ３６に蓄積された電荷が消去信号となって、電極基板１２Ａ、１２Ｂに出力される。これにより、表示層部１２Ｃに表示された情報が消去される。
【００５５】
ここで、消去信号を電極基板１２Ａ、１２Ｂに出力しても、表示層部１２Ｃに表示された情報が必ずしも全て消去されるとは限らない。
【００５６】
そこで、ステップ１１４で、消え残りセンサ４０からの出力に基づいて、特定領域の情報が消え残っているか否かを判断し、特定領域の情報が消え残っていると判断された場合には、ステップ１１２に戻って、以上の処理（ステップ１１２、ステップ１１４）を実行する。一方、特定領域の情報が消え残っていないと判断された場合には、本ルーチンを終了する。
【００５７】
ここで、表示層部１２Ｃに表示された情報の消去処理を前述した第１の実施の形態のように１回実行するようにしてもよいが、本実施の形態では、上記のように、特定領域の情報が消えるまで行っている。このため、コンデンサは、表示部層１２Ｃを複数回消去するために必要な電荷量を蓄積している。なお、１回の消去処理の際に、単に、予め定めた回数回消去を行うようにしてもよい。
【００５８】
なお、本実施の形態では、１回の充電下で消去処理は無限にできるわけではなく、消去する表示部層１２Ｃのサイズなどによって、一回の充電で消去処理の実行できる回数が規定される。よって、消去処理を、規定された回数以下の予め定められた回数回行う。このように、一回の充電で消去処理を実行できる回数が予め定められた回数となるように、マイコン３４Ｂは、１回の放電により放電される電荷量を適切に制御するため、ステップ１１２におけるスイッチオンする所定時間を定めている。
【００５９】
このように本実施の形態では、消去処理を、特定領域の情報が消えるまで又は複数回行うので、情報の消え残りを防止することができる。
【００６０】
なお、本実施の形態では、消え残りセンサの出力に基づいて、消去処理を、特定領域の情報が消えるまで又は複数回行っているが、消去状態に基づいて消去処理内容（消去信号の出力状態）を変更するようにしてもよい。
【００６１】
即ち、たとえば、消え残り量が多くなるに従って多くなるように消去回数を予め定め、消え残りセンサの出力に基づいて、消去回数を設定し、設定された回数回、消去するようにしてもよい。
【００６２】
また、消え残り量が多くなるに従って、消去信号の大きさ及び上記所定時間の少なくとも一方が大きくなるように予め定め、消え残りセンサの出力に基づいて、消去信号の大きさ及び上記所定時間の少なくとも一方を定めて、消去するようにしてもよい。
【００６３】
また、本実施の形態では、表示層部１２Ｃの表示状態が変更されてから所定時間経過した場合に消去処理しているが、本発明はこれに限定されるものではなく、これに代え、又はこれと共に、設定された時刻になった場合に消去処理するようにしてもよく、第１の実施の形態のように、消去専用ボタンを設け、消去専用ボタンがオンされた場合に、消去処理するようにしてもよい。なお、第１の実施の形態においても、消去専用ボタンがオンされた場合に換え、又は、消去専用ボタンがオンされた場合と共に、表示層部１２Ｃの表示状態が変更されてから所定時間経過した場合、又は、設定された時刻になった場合に消去処理するようにしてもよい。
【００６４】
さらに、本実施の形態では、上記消去用回路２６を、メモリ性表示媒体と容易に着脱可能に構成するようにしてもよい。この場合は、通常の表示情報書き換え動作を、メモリ性表示媒体を情報書き換え装置に接続して行い、情報書き込み後のメモリ性表示媒体の電極基板に、消去回路を装着する。この構成を採用することで、単一の消去回路を着脱させながら、複数のメモリ性表示媒体の情報を消去することも可能である。
【００６５】
(第３の実施の形態)
次に、本発明の第３の実施の形態を説明する。本実施の形態は、前述した第１の実施の形態と同様の構成部分を有するので、同一部分には同一の符号を付してその説明を省略し、異なる部分を説明する。即ち、本実施の形態にかかるメモリ性表示媒体１０Ａ１は、図９及び図１０に示すように、制御部２８に接続され、後述するゲート通過報知信号を受信した場合に制御部２８に信号を出力するセンサ５０を更に備えている。
【００６６】
本実施の形態では、所定領域内から外にでる場合には、図１１に示すように、ゲート５２を通過しなければならないようにされており、このゲート５２には、メモリ性表示媒体１０Ａ１が、所定領域外に位置する、即ち、所定領域の境界を通過したことを示す通過信号としての上記ゲート通過報知信号を発信する第１の発信手段としての発信機５４が設けられている。
【００６７】
次に、本実施の形態の作用を説明する。
【００６８】
メモリ性表示媒体１０Ａ１が、所定領域内に位置する場合に、図示しない情報入力部から、所定領域内でのみ表示可能、即ち、所定領域外では消去するように予め定められた情報（持ち出し禁止情報）を入力し、制御部２８は、表示層部１２Ｃに持ち出し禁止情報が表示されるように、表示書き換え回路２４を制御する。表示書き換え回路２４は、この制御に従って電極基板１２Ａ、１２Ｂに書き換え信号を出力する。これにより、表示層部１２Ｃの表示状態が、持ち出し禁止情報が表示されるように変更される。
【００６９】
ところで、持ち出し禁止情報は、所定領域内でのみ表示可能な情報であるので、所定領域外で表示されることは好ましくない。そこで、制御部２６は次のように処理している。
【００７０】
即ち、制御部２６は、電源投入されると所定時間毎に図１２に示す制御ルーチンを実行する。即ち、ステップ１２０で、ゲート通過報知信号を受信したか否かを判断する。
【００７１】
所定領域内にメモリ性表示媒体１０Ａ１が位置する場合には、センサ５０はゲート５２の発信機５４からのゲート通過報知信号を受信しない。しかし、例えば、図１１に示すように、メモリ性表示媒体１０Ａ１がゲート５２に接近し（符号１０Ａ１１参照）、センサ５０は、ゲート５２の発信機５４からのゲート通過報知信号を受信すると、信号を制御部２８に出力する。これにより、ステップ１２０の判断が肯定判定となり、ステップ１０２で、消去信号を消去用回路２６に出力する。
【００７２】
これにより、図４に示した制御ルーチンにおけるステップ１０４の判断が肯定判定となり、ステップ１０６で、主電源１４にある電力から消去用パルスを電極基板１２Ａ、１２Ｂに印加することにより、表示層部１２Ｃに表示された情報が消去される（図１１、符号１０Ａ１２参照）。
【００７３】
上記内容は具体的には例えば以下のように具体化される。即ち、アミューズメントパークやスキー場、展示場、ライブハウス、コンサートホールなどの施設で入場する際はメモリ性表示媒体に有効時間、日時などの情報を書き込むが、途中で一度施設の外に出ると出入り口に設けたゲートなどでセンサが反応し、それらの情報が消去され無効となり再入場する事が不可能となる。なお、図１３には、スキー場に入場する際はメモリ性表示媒体に有効時間、日時などの情報を書き込む（図１３、符号１０Ａ２１参照）が、途中で一度施設の外に出る際、出入り口に設けたゲート５２に設けられた発信機５４のゲート通過報知信号をセンサ５０が受信し、それらの情報が消去（図１３、符号１０Ａ２２参照）、され無効となり再入場する事ができなくなる。
【００７４】
以上のように、本実施の形態では、所定領域から外に出た場合に、情報を消去するので、機密情報の漏洩を防止することができる。そして、各種チケットに適用した場合には、使用後の転売などの不正使用を防止する事ができる。
【００７５】
次に、本実施の形態の種々の変形例を説明する。
（変形例１）
図１４には、変形例１にかかる態様が示されている。なお、本変形例１におけるメモリ性表示媒体１０Ａ３１の構成は、前述した第３の実施の形態と同様である。なお、本変形例１のセンサ５０は、後述する領域進入報知信号を受信するものである。
【００７６】
本変形例１では、所定領域として、複写機５６の設置領域を用いている。複写機５６は、メモリ性表示媒体１０Ａ３１が所定領域（複写機５６の設置領域）に進入したっことを示す領域内信号としての領域進入信号を発信する第２の発信手段としての発信機５８を備えている。
【００７７】
次に、本実施の形態の作用を説明する。
【００７８】
図示しない情報入力部から、複写禁止情報を入力した場合、制御部２８は、表示層部１２Ｃに複写禁止報が表示されるように、表示書き換え回路２４を制御する。表示書き換え回路２４は、この制御に従って電極基板１２Ａ、１２Ｂに書き換え信号を出力する。これにより、表示層部１２Ｃの表示状態が、複写禁止情報が表示されるように変更される。
【００７９】
このような状態で、複写禁止情報が複写されることは好ましくない。そこで、制御部２６は次のように処理している。
【００８０】
即ち、制御部２６は、電源投入されると所定時間毎に図１５に示す制御ルーチンを実行する。即ち、ステップ１２２で、領域進入報知信号を受信したか否かを判断する。
【００８１】
所定領域（複写機５６の設置領域）外にメモリ性表示媒体１０Ａ３１が位置する場合には、センサ５０は複写機５６に設けられた発信機５８からの領域進入報知信号を受信しない。しかし、例えば、図１４に示すように、メモリ性表示媒体１０Ａ３１が所定領域（複写機５６の設置領域）に接近し、センサ５０が領域進入報知信号を受信すると信号を制御部２８に出力する。これにより、ステップ１２２の判断が肯定判定となり、ステップ１２２で、消去信号を消去用回路２６に出力する。
【００８２】
これにより、図４に示した制御ルーチンにおけるステップ１０４の判断が肯定判定となり、ステップ１０６で、主電源１４にある電力から消去用パルスを電極基板１２Ａ、１２Ｂに印加することにより、表示層部１２Ｃに表示された情報が消去される（図１４、符号１０Ａ３２参照）。
【００８３】
なお、変形例１においては、複写機に近づくためには所定のゲートを通過しなくてはならないようにし、このゲートにゲート通過報知信号を発信する第１の発信手段としての発信機を備え、メモリ性表示媒体が該ゲートを通過した場合に、発信機からのゲート通過報知信号をセンサが受信し、制御部が消去用回路に消去信号を出力して、表示した情報を消去するようにしてもよい。
（変形例２）
図１６には、変形例２における、所定領域６０と、所定領域６０内及び境界に配置され、領域内信号としての領域内報知信号を発信する複数の第２の発信手段としての発信機６２が示されている。なお、本変形例２におけるメモリ性表示媒体は前述した第３の実施の形態と同様である。
次に、本実施の形態における作用を説明する。
【００８４】
前述した第３の実施の形態のように、メモリ性表示媒体が、所定領域６０内に位置する場合に、図示しない情報入力部から、所定領域内でのみ表示可能、即ち、所定領域外では消去するように予め定められた情報（持ち出し禁止情報）を入力し、制御部２８は、表示層部１２Ｃに持ち出し禁止情報が表示されるように、表示書き換え回路２４を制御する。表示書き換え回路２４は、この制御に従って電極基板１２Ａ、１２Ｂに書き換え信号を出力する。これにより、表示層部１２Ｃの表示状態が、持ち出し禁止情報が表示されるように変更される。
【００８５】
ところで、持ち出し禁止情報は、所定領域６０内でのみ表示可能な情報であるので、所定領域外で表示されることは好ましくない。そこで、制御部２６は次のように処理している。
【００８６】
即ち、制御部２６は、電源投入されると所定時間毎に図１７に示す制御ルーチンを実行する。即ち、ステップ１２４で、領域内報知信号を受信したか否かを判断する。
【００８７】
所定領域６０内にメモリ性表示媒体が位置する場合には、センサ５０は何れかの発信機６２からの領域内報知信号を受信する。これにより、ステップ１２４の判断が肯定判定となり、本ルーチンを終了する。しかし、メモリ性表示媒体が所定領域６０外にでると、発信機６２からの領域内報知信号の受信状態が変化、即ち、例えば停止する。これによりステップ１２４の判断が否定判定となり、ステップ１０２で、消去信号を消去用回路２６に出力する。
【００８８】
これにより、図４に示した制御ルーチンにおけるステップ１０４の判断が肯定判定となり、ステップ１０６で、主電源１４にある電力から消去用パルスを電極基板１２Ａ、１２Ｂに印加することにより、表示層部１２Ｃに表示された情報が消去される。
【００８９】
(変形例)
次に、本発明の種々の変形例を説明する。以下の各変形例は、前述した第１乃至第３の実施の形態と同様の構成部分を有するので、同一部分には同一の符号を付してその説明を省略し、異なる部分を説明する。
【００９０】
(第１の変形例)
図２１に示すように、本変形例のメモリ性表示媒体１０Ｃは、表示書き換え用回路２４と消去用回路２６とを切り換える切り換え器４２を備えている。即ち、前述した第１乃至第３の実施の形態では、表示書き換え用回路２４等からの信号と、消去用回路２６からの消去信号と、を別々に、電極基板１２Ａ、１２Ｂに出力しているが、切り換え器４２により、電極基板１２Ａ、１２Ｂに信号を出力する素子を、表示書き換え用回路２４又は消去用回路２６に切り換えるものである。
【００９１】
一方、表示書き換え用回路２４と消去用回路２６とにおいて一部を共有化した回路を切り換え、例えば電圧印加によって情報を書き換えるものであれば、その印加経路を変えるようにしてもよい。
【００９２】
(第２の変形例)
図２２に示すように、本変形例のメモリ性表示媒体１０Ｄは、表示部１２と、表示書き換え用回路２４のみを備えた駆動部２２Ｃと、を備えて構成されている。なお、消去用回路２６は、メモリ性表示媒体１０Ｄに着脱自在に構成されている。
【００９３】
(第３の変形例)
図２３に示すように、本変形例のメモリ性表示媒体１０Ｅは、１枚のメモリ性表示記録媒体１０Ｅの表示エリアを複数に分割して、複数の部分表示領域を定め、各部分表示領域に対応した消去用電極を独立に備えると共に、消去用回路２６を設けるようにしてもよい。なお、図１１には、部分表示領域を２つ定め、消去用回路２６を２つ備える例を示している。このような構成を採用することで、1枚の表示媒体内に表示された表示期限の異なる情報を時間に応じて消去することが可能になり、より機能的な情報管理が可能になる。
【００９４】
(第４の変形例)
図２４に示すように、本変形例では、メモリ性表示記録媒体１０Ｆは、表示部１２のみを備え、上記説明した種々の態様における消去用回路２６を備えた情報書き換え装置３２を、メモリ性表示記録媒体１０Ｅの外部に設けるものである。上記態様に応じて、消去専用ボタンを設けたり、タイマー制御したりする。
【００９５】
ところで、上記第１及び第２の実施の形態及び各変形例では、表示部は、電気泳動素子、二色粒子回転制御素子、トナーディスプレイ方式、電子粉流体を応用した表示素子、あるいは上記説明したコレステリック液晶の他、強誘電液晶などのメモリ性液晶等を応用した表示素子などを用いることができる。
【００９６】
素子部の構造としては、画素ごとのセルや、マイクロカプセル、あるいは微細なエンボスを形成した孔に上記のような表示材料を充填する方式などが採用できる。これらの中で、特に上記説明したコレステリック液晶を主体とする表示素子は明るい反射カラー表示を実現できることから好ましい形態である。
【００９７】
また、上記表示素子の駆動方法としては、それぞれの表示素子の特性にも依存するが、各画素ごとにＴＦＴ駆動素子を設け、電圧を印加する方法や、直交するマトリクス状電極で挟み込み、行、列各方向のライン電極に走査的に電圧を印加する方法、表示層を光導電層と積層し、一方が透明のベタ電極で挟み込んで、バイアス電圧を印加しながら光導電層を画像状に露光する方法などを採用することができる。表示の制御性、高速性などの面からいずれも電圧の印加で表示を制御できるものが好ましい。特に、上述した表示層と光導電層を積層した構成の表示媒体を採用した場合は、表示媒体に微細加工を必要としないため、低コスト化が期待できることと、一括して面状の露光を行い、瞬時に画像を形成できること、光による露光パターンを精細にしていくことで、高い表示解像度を実現できるという長所があり、好ましい形態である。
【図面の簡単な説明】
【００９８】
【図１】第１の実施の形態にかかるメモリ性表示媒体の外観図である。
【図２】第１の実施の形態にかかるメモリ性表示媒体の概略内部構成図である。
【図３】消去信号が入力された場合に制御部が実行する制御ルーチンを示したフローチャートである。
【図４】消去信号が入力された場合に消去用回路が実行する制御ルーチンを示したフローチャートである。
【図５】第２の実施の形態にかかるメモリ性表示媒体の外観図である。
【図６】第２の実施の形態にかかるメモリ性表示媒体の概略内部構成図である。
【図７】第２の実施の形態にかかるメモリ性表示媒体の内部構成図である。
【図８】消去パルス制御部内のマイコンが実行する制御ルーチンを示したフローチャートである。
【図９】第３の実施の形態にかかるメモリ性表示媒体の外観図である。
【図１０】第３の実施の形態にかかるメモリ性表示媒体の概略内部構成図である。
【図１１】所定領域の境界をメモリ性表示媒体が通過する際の様子を示した説明図である。
【図１２】所定領域の境界をメモリ性表示媒体が通過する際の制御部が実行する制御ルーチンを示したフローチャートである。
【図１３】所定領域の境界をメモリ性表示媒体が通過する際の他の様子を示した説明図である。
【図１４】所定領域にメモリ性表示媒体が進入する際の様子を示した説明図である。
【図１５】所定領域にメモリ性表示媒体が進入する際の制御部が実行する制御ルーチンを示したフローチャートである。
【図１６】所定領域と、所定領域内及び境界に配置された発信機を示した図である。
【図１７】制御部が実行する制御ルーチンを示したフローチャートである。
【図１８】第３の実施の形態の変形例にかかるメモリ性表示媒体の外観図である。
【図１９】第３の実施の形態の変形例にかかるメモリ性表示媒体の概略内部構成図である。
【図２０】第３の実施の形態の変形例にかかるメモリ性表示媒体の内部構成図である。
【図２１】第１の変形例にかかるメモリ性表示媒体の概略内部構成図である。
【図２２】第２の変形例にかかるメモリ性表示媒体の概略内部構成図である。
【図２３】第３の変形例にかかるメモリ性表示媒体の概略内部構成図である。
【図２４】第４の変形例にかかるメモリ性表示媒体の概略内部構成図である。
【符号の説明】
【００９９】
１０Ａ〜１０Ｆ    メモリ性表示媒体（表示媒体）
１２    表示部（表示手段）
１２Ａ、１２Ｂ  電極基板（消去手段）
２４    表示書き換え用回路２４（変更手段）
２６    消去用回路２６（出力手段）
１６    消去専用ボタン（指示手段）
１４    主電源（保持手段）
３２    情報書き換え装置（変更手段）
３４    消去パルス制御部（消去信号出力手段）
３４Ａ    スイッチング素子（消去信号出力手段）
３４Ｂ    マイコン（消去信号出力手段）
３６    コンデンサ（保持手段）
５０    センサ（検知手段）
５４、５８、６２  発信機（発信手段）
【図１】
2004258608.tif 000003
【図２】
2004258608.tif 000004
【図３】
2004258608.tif 000005
【図４】
2004258608.tif 000006
【図５】
2004258608.tif 000007
【図６】
2004258608.tif 000008
【図７】
2004258608.tif 000009
【図８】
2004258608.tif 000010
【図９】
2004258608.tif 000011
【図１０】
2004258608.tif 000012
【図１１】
2004258608.tif 000013
【図１２】
2004258608.tif 000014
【図１３】
2004258608.tif 000015
【図１４】
2004258608.tif 000016
【図１５】
2004258608.tif 000017
【図１６】
2004258608.tif 000018
【図１７】
2004258608.tif 000019
【図１８】
2004258608.tif 000020
【図１９】
2004258608.tif 000021
【図２０】
2004258608.tif 000022
【図２１】
2004258608.tif 000023
【図２２】
2004258608.tif 000024
【図２３】
2004258608.tif 000025
【図２４】
2004258608.tif 000026